(57)【要約】      （修正有）【課題】ドラム型研削砥石において、ドラムの再使用を可能とする。【解決手段】ドラム研削砥石２０は、研削盤のスピンドルに同軸係合するよう構成される細長いドラム２４を含む。ドラムの外側表面は中心軸線と平行に延在し、そして外側表面に複数の取り外し可能なカッタ２２が取り外しできるように固定される。各カッタは、間隔をあけた関係でもって配置された複数のリブ２６を有し、そして各リブの研削面に砥粒が、金属ロウ付け材を使用するなどして、配置される。【選択図】図１
2006055993.tif 000002
【特許請求の範囲】
【請求項１】
中心軸線を有する細長いドラムであって、当該ドラムは研削盤のスピンドルに同軸係合するよう構成されていて、前記中心軸線に平行に延在する外側表面を有するドラム、
前記外側表面に取り外しできるように固定された複数の取り外し可能なカッタであって、当該カッタのおのおのが間隔をあけて配置された複数のリブを有するカッタ、及び
前記リブのおのおのの研削面に配置された砥粒、
を含むドラム研削砥石。
【請求項２】
前記砥粒が単一層に配置される、請求項１に記載のドラム研削砥石。
【請求項３】
前記砥粒が、ダイヤモンド、ＣＢＮ（立方晶窒化ホウ素）、溶融アルミナ、焼結アルミナ、酸窒化アルミニウム、ジルコニア−アルミナ、炭化ケイ素、炭化ホウ素、炭化タングステン、及びそれらの組み合わせからなる群から選択される、請求項１に記載のドラム研削砥石。
【請求項４】
前記外側表面が多角形の横方向断面を有する、請求項３に記載のドラム研削砥石。
【請求項５】
前記多角形の横方向断面の辺が前記カッタ用の係合表面を画定する、請求項４に記載のドラム研削砥石。
【請求項６】
前記カッタが実質的に互いに当接する関係でもって配置され、当該カッタが前記中心軸線の周りに集合的に実質的に連続して延在する、請求項５に記載のドラム研削砥石。
【請求項７】
前記カッタのおのおのが間隔をあけた関係でもって配置された複数のリブを有し、そして前記砥粒が各当該リブの研削面に配置される、請求項２に記載のドラム研削砥石。
【請求項８】
前記研削面が前記中心軸線から所定の半径のところに配置される、請求項４に記載のドラム研削砥石。
【請求項９】
前記ドラムが前記中心軸線の周りを回転すると前記研削面が概念上の円筒を形成する、請求項４に記載のドラム研削砥石。
【請求項１０】
各カッタが、前記係合表面の少なくとも１つに係合するよう構成されたベースを有する、請求項８に記載のドラム研削砥石。
【請求項１１】
前記外側表面に配置された第１のキー溝と前記ベースに配置された第２のキー溝であって、前記カッタを前記ドラムに取り外しできるように固定した時に互いに重なる第１及び第２のキー溝と、当該重なるキー溝のおのおのの内部に配置されたキーを含む、請求項１０に記載のドラム研削砥石。
【請求項１２】
キーが前記第２のキー溝のおのおのと一体式に配置される、請求項１１に記載のドラム研削砥石。
【請求項１３】
各カッタが単一の前記係合表面のおのおのに取り外しできるように固定される、請求項１０に記載のドラム研削砥石。
【請求項１４】
各カッタの前記リブの前記研削面が集合して、前記概念上の円筒の弓形部分を画定する、請求項１３に記載のドラム研削砥石。
【請求項１５】
前記カッタが、当該カッタから前記外側表面を通り抜けて延在する留め具によって前記ドラムに取り外しできるように固定される、請求項１３に記載のドラム研削砥石。
【請求項１６】
前記留め具が、前記ドラムの内側表面に配置されたナットとねじ式に係合するねじ付き留め具である、請求項１５に記載のドラム研削砥石。
【請求項１７】
前記内側表面が実質的に円筒形であり、前記ナットが当該内側表面に面対面で係合するよう構成された弓形表面を含む、請求項１６に記載のドラム研削砥石。
【請求項１８】
前記砥粒が金属結合剤マトリックスに配置される、請求項１に記載のドラム研削砥石。
【請求項１９】
前記金属結合剤が、青銅、ニッケル、及びそれらの合金からなる群から選択されるロウ付け材を含む、請求項１８に記載のドラム研削砥石。
【請求項２０】
前記金属結合剤が、青銅合金と、銅、銀、クロム、鉄、タングステン、チタン及びそれらの組み合わせからなる群から選択される材料とを含む、請求項１８に記載のドラム研削砥石。
【請求項２１】
前記金属結合剤が、ニッケル、銅、コバルト、銀、スズ、クロム、及びそれらの合金と組み合わせからなる群から選択される電気めっきされた金属を含む、請求項１８に記載のドラム研削砥石。
【請求項２２】
前記電気めっきされた金属がニッケルを含む、請求項２１に記載のドラム研削砥石。
【請求項２３】
前記合金が、真鍮、ニッケル−鉄、青銅、及びニッケル−スズから選択される、請求項２１に記載のドラム研削砥石。
【請求項２４】
前記ドラムが、鋼、アルミニウム、青銅、チタン及びインコネル（登録商標）、及びそれらの合金と組み合わせからなる群から選択される材料から製作される、請求項１に記載のドラム研削砥石。
【請求項２５】
前記カッタが、鋼、チタン及びインコネル（登録商標）、及びそれらの合金と組み合わせからなる群から選択される材料から製作される、請求項１に記載のドラム研削砥石。
【請求項２６】
ドラム研削砥石を製造する方法であって、
（ａ）中心軸線を有する細長いドラムを用意すること、
（ｂ）前記ドラムを研削盤のスピンドルに同軸係合するよう構成すること、
（ｃ）前記ドラムに前記中心軸線の周囲３６０度に沿ってそれに平行に延在する外側表面を設けること、
（ｄ）複数の研削カッタを用意すること、及び
（ｅ）前記カッタを前記外側表面に固定されるよう構成すること、
を含むドラム研削砥石製造方法。
【請求項２７】
前記用意すること（ｄ）が複数の取り外し可能なカッタを用意することを含み、前記構成すること（ｅ）が前記カッタを前記外側表面に取り外しできるように固定されるよう構成することを含む、請求項２６に記載の方法。
【請求項２８】
前記用意すること（ｄ）が前記研削カッタのおのおのに少なくとも１つのリブを提供することを含む、請求項２６に記載の方法。
【請求項２９】
ドラム研削するため方法であって、
（ａ）細長いドラムの中心軸線の周囲３６０度に沿って延在する外側表面に複数の研削カッタを取り外しできるように固定してドラム研削砥石を製作すること、
（ｂ）前記ドラムを研削盤に同軸係合すること、
（ｃ）前記研削盤で、前記ドラムをその中心軸線の周りに回転させること、
（ｄ）回転する前記研削砥石の前記カッタを工作物に接触させること、
（ｅ）前記カッタを前記ドラムから取り外すこと、
（ｆ）新しいカッタで（ａ）〜（ｄ）を反復すること、
を含むドラム研削方法。
【請求項３０】
前記反復すること（ｆ）が、工程（ｅ）のカッタと異なる取り付け半径方向寸法を有する新しいカッタを固定することを含む、請求項２９に記載の方法。
【請求項３１】
研削盤のスピンドルに同軸係合するための中心軸線を有する細長いドラム手段であって、前記中心軸線の周囲３６０度に沿ってそれに平行に延在する外側の取り付け手段を有するドラム手段と、
前記外側の取り付け手段に固定された複数のカッタ手段であって、その研削面部分に配置された研削手段を有するカッタ手段、
とを含むドラム研削砥石。
【請求項３２】
前記切削手段が前記外側表面に取り外しできるように固定される、請求項３１に記載の方法。
【請求項３３】
中心軸線を有する細長いドラムであって、当該ドラムは研削盤のスピンドルに同軸係合するよう構成され、そして前記中心軸線と平行に延在する外側表面を有するドラム、
前記外側表面に固定される複数のカッタ、及び
各前記カッタの研削面に金属ロウ付け材によって配置された単一の砥粒層、
を含むドラム研削砥石。
【請求項３４】
前記カッタが前記外側表面に取り外しできるように固定される、請求項３３に記載のドラム研削砥石。
【発明の詳細な説明】
【技術分野】
【０００１】
本発明は、ドラム研削砥石に関し、より詳しく言えば、再使用可能なドラムに機械的に固定したカッタを有するドラム研削砥石に関する。
【背景技術】
【０００２】
ドラム研削砥石は一般に、例えば、自動車のブレーキブロック又はパッド及びシューの研削あるいは他の複合材料の研削から、センタレス研削作業に至る範囲の多様な研削作業のために使用される。これらの用途に適したドラム研削砥石は通常、リブを機械加工して適切な円筒体にし、この円筒体にエンドキャップを溶接又は機械的に取り付けし、ロウ付け材とダイヤモンド砥粒をリブに塗布し、その後組立体全体を真空炉内で焼成することによって製造されている。
【０００３】
これらの砥石は、最終的には使用によって磨耗し、その時点で廃棄又は修復される。これらの研削砥石は、例えば２５ｃｍ×２５ｃｍ程度又はそれ以上というように比較的大型となる傾向があるので、それらを廃棄するのは、一部をリサイクルするにしても、費用がかかり煩雑になることがある。
【０００４】
一方、修復は通常、リブからロウ付け材と残っている砥粒を剥がし、リブに新しいロウ付け材と砥粒を再塗布し、その後砥石を再焼成することを必要とする。この修復は砥石の有効寿命を劇的に延長するが、ユーザは一般に砥石全体を砥石製造業者又は第三者の修復業者に送らなければならないので、この処理は煩雑なものになりやすい。また、特に砥石の往復輸送のために必要な時間を考慮した場合、修復は比較的時間がかかる。従って、ユーザは一般に代わりの砥石を手元に置いて、砥石の交換に関連する費用のかかる中断時間を軽減しなければならない。しかし、代わりの砥石を保管することは、在庫の費用を増大させる傾向があって不都合である。
【０００５】
その上、研削砥石の有効直径は簡単に変更することができないため、ユーザは様々な研削の必要に対応するため様々な直径の砥石を在庫しなければならないことが多い。不都合なことに、このために在庫の費用が更に増大する傾向がある。
【発明の開示】
【発明が解決しようとする課題】
【０００６】
従って、上記の欠点に対処した改良型ドラム研削砥石に対する必要が存在する。
【課題を解決するための手段】
【０００７】
本発明の１つの側面では、ドラム研削砥石は、研削盤のスピンドルに同軸係合するよう構成された細長いドラムを含む。このドラムは、中心軸線に平行に延びる外側表面を有する。この外側表面に複数の取り外し式カッタが取り外し可能なように固定され、各カッタは間隔を開けて配置された複数のリブを有する。各リブの研削面に砥粒が配置される。
【０００８】
本発明の別の側面では、ドラム研削砥石は、研削盤のスピンドルに同軸係合するよう構成された細長いドラムを含む。このドラムは、中心軸線に平行に延びる外側表面を有する。この外側表面に複数のカッタが固定され、各カッタの研削面に金属のロウ付けによって砥粒が固定される。
【０００９】
本発明のまた別の側面は、ドラム研削砥石を製造する方法を含む。この方法は、研削盤のスピンドルに同軸係合する細長いドラムを用意及び構成する工程を含む。このドラムは、中心軸線の周囲３６０度に沿ってそれに平行に延びる外側表面を備える。複数の研削カッタが設けられ、カッタは外側表面に固定されるよう構成される。
【００１０】
本発明の更に別の側面では、ドラム研削する方法が提供される。この方法は、ドラム研削砥石を形成するため、細長いドラムの中心軸線の周囲３６０度に沿って延びる外側表面に複数の研削カッタを取り外しできるように固定することを含む。ドラムは研削盤に同軸係合する。研削盤で、ドラムはその中心軸線の周りを回転する。この回転研削砥石のカッタで工作物の工作を行う。その後カッタをドラムから取り外して、新しいカッタで上記の工程を反復してもよい。
【００１１】
本発明の更なる側面では、ドラム研削砥石は、研削盤のスピンドルに同軸係合するよう構成された細長いドラム手段を含む。このドラム手段は、中心軸線の周囲３６０度に沿ってそれに平行に延びる外側の取り付け手段を有する。この外側の取り付け手段に複数のカッタ手段が固定される。カッタ手段はその研削面部分に配置された研削手段を有する。
【００１２】
本発明の上記及び他の特徴及び利点は、添付の図面に関連してなされる本発明の様々な側面の以下の詳細な説明を読むことからより容易に明らかになろう。
【発明を実施するための最良の形態】
【００１３】
以下の詳細な説明では、本明細書の一部をなす添付の図面を参照して、本発明を実施し得る特定の態様を実例として示す。これらの態様は当業者が本発明を実施し得るよう十分詳細に説明されており、そして他の態様も利用しうることを理解すべきである。また、構造、手順、及びシステムの変更を本発明の精神と範囲から離れることなく行いうることも理解すべきである。従って、以下の詳細な説明は制限的な意味で行われるのではなく、そして本発明の範囲は請求項及びそれと同等のものによって定義される。説明を分かりやすくするため、添付の図面中同様の要素は同様の参照符号によって示すことにし、図面で別態様として示す同様の要素は同様の参照符号によって示すことにする。
【００１４】
本発明の一つの側面は、周囲に配置した一連のカッタ又はセグメントを有するドラム研削砥石を、一般の知見ではそれと反対であるにもかかわらず、安全に使用することができることを認識することであった。セグメント研削砥石は既知であったが、これまでこうした砥石は一般に、研削面が回転軸に直交して延びる円筒又はカップ型のもの（例えば、ＡＮＳＩタイプ２、６、１１）であった。従って、これらのセグメントは、研削作業中セグメントが求心力（遠心力としても知られる）に抵抗するのを助けるため、セグメントの半径方向外向きに配置した第１の組の支持具又は迫持ち受けの使用によるなどして、固定するのが比較的容易である。
【００１５】
ドラム上の取り外し可能なセグメントの半径方向外側に同様の保持構造を配置することができないことから、特に多くの従来のドラム砥石に付随する比較的大きな直径（例えば４０ｃｍ又はそれ以上）及び高い回転速度（例えば１２００〜１４００ｒｐｍ又はそれ以上）を想定すると、それらを安全に固定することが困難又は不可能であることが認識される結果に至った。しかし、これらの予想に反して、本発明の態様は驚くべきことに首尾よく働くことが証明された。
【００１６】
添付の図面を参照して、本発明の態様を図示し説明する。簡単に言うと、これらの態様は、カッタ２２が再使用可能なドラム２４に機械的に固定されたドラム研削砥石２０を含む。特定の態様では、カッタ２２は、金属結合剤（例えば、ロウ付け又は電気めっきされた）によって固定された砥粒の層２８を有するリブ２６を含む。この構成でもって、カッタ２２は、磨耗した時に都合よく交換することができる。
【００１７】
従って、この態様は、カッタ２２が有効寿命の終わりに達したら研削砥石全体を廃棄又は修復する必要を解消する。もっと正確に言うと、カッタ２２が磨耗したならば、それらを素早く且つ容易にドラム２４から取り外し、新しいカッタ２２と交換することができる。このカッタ交換はユーザが都合よく行うことができ、研削砥石２０全体を第三者へ送る必要なしに研削砥石を何度も再使用することができる。
【００１８】
このように、修復に付随して見込まれる中断時間を解消することに加えて、ユーザが予備の研削砥石全体ではなく交換用のカッタを単純に在庫しておくのを可能にすることにより、在庫費用も低下する。その上、本発明の研削砥石の有効直径はカッタを選択することにより簡単に変更できるので、本発明の態様はまた、多様な直径の砥石を在庫する必要をどちらかといえば解消する。ドラムの直径と、ひいては研削する部分の半径は、異なる高さ及び／又は曲率のカッタ２２をドラム２４に機械的に取り付けることによって変更することができる。従って、単一のドラム２４を使用して様々な別個の直径の研削砥石を構成することができる。この側面は、先行技術の砥石に関連する在庫費用に比べて在庫費用を更に下げる傾向がある。
【００１９】
本開示で使用する場合、「軸線方向」という用語は、構成要素を図１に示すようにドラム砥石に取り付ける場合に回転軸ａに実質的に平行である、構成要素に関する方向を指す。同様に、「横方向」という用語は、軸線方向に実質的に平行である以外の方向を指す。「横方向断面」又は「横方向円周」という用語は、それぞれ横方向平面に沿った断面又は円周を指す。
【００２０】
次に、本発明の態様を添付の図面を参照して更に全面的に説明する。図１に示すように、本発明のドラム研削砥石２０は一般に、中心軸線ａと、通常の研削盤（図示せず）のスピンドルに同軸係合する構成の中心ボアとを有する円筒の形態で構成される。一連のカッタ（又はセグメント）２２をドラム（又はコア）２４に取り外し可能なように固定して、砥石２０の外側の、実質的に円筒形の研削面を画定する。
【００２１】
図示する態様では、カッタ２２はおのおの、砥粒の層２８及びそこに配置された結合剤を有する一連の細長いリブ２６を含む。層２８は、砥粒を固定するための、例えばロウ付け材又は電気めっきといったような、通常の金属結合剤を都合よく含んでもよい。とは言え、砥粒をカッタ２２に固定するのには実質的に任意のアプローチを使用してもよいと考えられる。砥粒をカッタに固定するには、金属のロウ付け材がより好ましい。更に、リブ２６は軸線ａに表面上は平行な方向に延びるとは言え、それらは本発明の精神と範囲から離れることなく軸線ａに対して傾斜又は直交する方向を含む実質的に任意の方向に延在してもよい。
【００２２】
ここで図２を参照すると、ドラム（コア）２４は、適切な構造材料から、例えば機械加工又は成形といった通常の方法で製作される。こうした材料の例としては、鋼、アルミニウム、青銅、チタン、及びインコネル（登録商標）ニッケル合金（ウエストバージニア州のＨｕｎｔｉｎｇｔｏｎ  Ａｌｌｏｙｓ  Ｃｏｒｐｏｒａｔｉｏｎ）、そしてそれらの合金がある。一部の用途では、炭素繊維複合材料のような非金属材料を使用してもよい。図示する態様では、ドラム２４は多角形（例えば、図示する態様では十角形）の横方向断面の外側表面３４を備えている。表面３４の多角形断面の各辺は、以下で更に詳細に検討するように、カッタ２２の少なくとも１つについて係合表面３６を画定する。
【００２３】
やはり図示するように、各係合表面３６は、中心軸線ａに実質的に平行に延在する溝として形成された１対のキー溝４０（下記で更に詳細に検討する）を含む。また、一連のボア４２が表面３６を通過し、円筒形内側表面４４を通り抜けて半径方向内側に延びている。ボア４２はそれぞれ、下記で検討するように機械式留め具を受け入れる寸法にされている。
【００２４】
ここで図３を参照すると、カッタ２２の態様がより詳細に示されている。このカッタは、名目上は任意の構造材料から製作することができ、図示した態様では、準耐火性材料（すなわち、砥粒層２８の金属結合剤に一般的に関連する焼成温度に耐えることができる材料）でよい。典型的な材料としては、鋼、アルミニウム、青銅、チタン、インコネル（登録商標）ニッケル合金、及びそれらの合金が挙げられる。しかし、当業者は、カッタを焼成する必要なしに層２８を形成する場合には、準耐火性でない材料（例えば、比較的融点の低いもの）を使用してもよいことを認めよう。砥粒をロウ付けすることにより、あるいは６００℃を越える温度で実行される別の熱処理によりカッタを製作する場合、好適な材料としては鋼、チタン、及びインコネル（登録商標）合金が挙げられる。
【００２５】
先に検討したように、各カッタ２２はその長手方向に延びる複数のリブ２６を有する。砥粒層２８が各リブ２６の外側表面に配置されて研削面を画定する。やはり図示したように、各カッタは、例えば実質的に平坦な表面として形成された、ドラム２４の係合表面３６の１つに係合するベース４６を有する。ベース４６は、ドラム２４のキー溝４０の鏡像として形成されてはいるが実質的にそれと同様の、くぼんだキー溝４８を含む。キー溝４０及び４８は、下記で検討するようにカッタ２２をドラム２４に適切に固定した時互いに重なり合ってキー４８（図１及び図４）を受け入れるような寸法、形状にされ、そのような位置に配置される。このようにキー４８がキー溝４０及び４８と係合することによって、カッタ２２が研削中発生する剪断力に都合よく耐えることができるようになる。
【００２６】
やはり図示するように、砥粒層２８を含む各カッタ２２のリブ２６は、研削砥石２０の外側の円筒形研削面の一部を形成するよう構成される弓形表面を集合的に画定する（図１）。こうして、リブは、ドラム（コア）２４に取り付けられるとそれらの半径方向の最も外側の表面が中心軸線ａから所定の半径のところに配置されるように構成される。この構成は、円周方向に間隔をあけたリブ２６が、砥石２０の回転動作中に円周方向に連続した概念上の円筒を画定するのを可能にする。しかし、これに関しては、リブ２６は、本発明の範囲内にとどまりながら可変の間隔からそれらの間に間隔がほとんどないか又は全くない状態までの範囲で（例えば、名目上連続する円周表面を形成するよう）、実質的に任意の円周方向間隔で配置してもよいことを認識すべきである。
【００２７】
更に、図示する特定の態様では、カッタ２２は互いに実質的に当接する関係で配置されて、図１に最もよく示されるように集合的に円周方向に実質的に連続して延在する。とは言え、本発明の精神と範囲から離れることなく、カッタ自体は円周方向に互いに間隔をあけて配置してもよいことを認識すべきである。
【００２８】
更に、単一の係合表面３６に固定される各カッタ２２が図示される。しかし、多数のカッタを単一の表面３６に配置するといった、様々な別の構成が可能である。あるいはまた、事実上２つかそれ以上の表面３６にまたがるようにカッタを構成してもよいことが考えられる。なお更に、平坦であるとして図示してはいるが、カッタ２２がそれに係合するのに適切な形状であるならば、係合表面３６は、例えば円形又は三角形といったような、名目上任意の所望の表面形状を備えてもよい。
【００２９】
ここで図１、図２、図３及び図５を参照すると、先に検討したように、カッタ２２はドラム２４に取り外し可能に固定されるよう構成される。図示した態様では、これはドラムのボア４２に整合する所定の位置でカッタを通り抜けて延在する座ぐりボア５０を設けることによってなされる。通常のねじ付き留め具を同軸に整合したボア５０及び４２内に受け入れ、そしてナット５２を使用して固定する。この代表的な態様では、ナット５２は円周方向に延在して、ねじ付きボア５４内に少なくとも２つの留め具を受け入れる。ナット５２はまた、ドラム２４の内側円筒表面４４（図１）に面対面で係合する寸法と形状（この例では弓形）の表面５６を備えている。当業者は、２つのボルトを受けることによってナットが締め付けの際回転するのが防止されることになるので、この構成はカッタ２２の取り付けと交換を容易にすることを認めよう。また、ナットの比較的広い表面積も、ボルトが支える負荷を都合よく分配する。とは言え、特定の態様では通常のナット（例えば、六角ナット）を使用してもよい。先に検討したように、カッタ２２は（半径方向の）厚さを様々にすることができる。これは、単一のドラム２６で様々な直径の研削砥石２０を形成することを都合よく可能にする。
【００３０】
やはり上述のように、カッタ２２は砥粒層２８を含む。層２８で使用する砥粒としては、単独で又は組み合わせて使用される、ダイヤモンド、ＣＢＮ（立方晶窒化ホウ素）、溶融アルミナ、焼結アルミナ、酸窒化アルミニウム、ジルコニア−アルミナ、炭化ケイ素、炭化ホウ素、炭化タングステンを含めた、名目上任意の研摩材又は超研摩材、あるいは任意のその他の通常の砥粒、を挙げることができる。その他の研削剤としては、ＩＶ、Ｖ及びＶＩ族の遷移金属の炭化物と窒化物、及びそれらの組み合わせと固溶体が挙げられる。
【００３１】
特定の態様では、選択した砥粒の単一の層を金属結合剤マトリックスを使用してカッタ２２に固定する。この結合剤には、青銅、ニッケル及びそれらの組み合わせと合金を含めた、実質的に任意の通常のロウ付け材料を使用することができる。例えば、銅、銀、クロム、及びチタンを含む青銅合金、鉄及びタングステン、そしてそれらの組み合わせを使用してもよい。
【００３２】
別の態様では、金属結合剤は電気めっきした金属を含んでもよい。電気めっきのために一般に使用される名目上任意の金属、例えばニッケル、銅、コバルト、銀、スズ及びクロム、そしてそれらの組み合わせ及び合金など、を使用してもよい。有用な合金としては、真鍮、青銅、ニッケル−鉄及びニッケル−スズが挙げられる。
【００３３】
本発明の特定の態様を説明してきたが、次にその作用を説明する。表Ｉを参照すると、工程６０で、ユーザは複数のカッタ２２をドラム２４の外側表面に取り外しできるように固定して、ドラム研削砥石２０を作製する。６２で、ドラムを研削盤のスピンドルに同軸係合する。次いで、研削盤を通常のやり方で操作６４し、工作物を研削６６する。カッタが磨耗するか研削作業が完了したら、ユーザはそれらを取り外し６８、そして直ぐに７０において、新しいカッタ２２で工程６０〜６６を反復することができる。
【００３４】
【表１】
2006055993.tif 000003
【００３５】
以下に示す例は、本発明の一部の側面を説明しようとするものである。この例は限定するものと解すべきでないことを理解すべきである。
【実施例】
【００３６】
（例１）
・研削砥石を、実質的に図１〜図５に関して上記で説明した通りに製作し、ドラム２４は７０７５  Ｔ６アルミニウムから機械加工し、最大直径が１５．５インチ（３９．４ｃｍ）、内径（内側表面４４）が１２インチ（３０．５ｃｍ）、そして軸線方向寸法が９．５インチ（２４．１ｃｍ）であった。
【００３７】
・カッタ２２は１０１８鋼から製作し、９．５インチ（２４．１ｃｍ）（軸線方向）×４．５インチ（１１．４ｃｍ）の寸法、及び０．２５インチ（０．６４ｃｍ）〜０．６２５インチ（１．６ｃｍ）の範囲の半径方向厚さであり、リブを８インチ（２０．３ｃｍ）の曲率半径で配置した。
・ナット５２は４３４０高張力鋼から機械加工し、厚さが０．３７５インチ（０．９５ｃｍ）であった。
・キー４８は１０１８鋼から機械加工し、０．３７５インチ（０．９５ｃｍ）×０．３７５インチ（０．９５ｃｍ）×１．５インチ（９３．８ｃｍ）の寸法であった。
・カッタのリブ２６にロウ付けペーストを塗布した。ペーストは、Ｔｕｒｂｕｌａミキサー（ニュージャージー州ＣｌｉｆｔｏｎのＧｌｅｎＭｉｌｌｓ  ＩＮＣ）を使用して、２１８１ｇのＡｌｌｏｙ  ８２８青銅合金（コネチカット州Ｓａｎｄｙ  ＨｏｏｋのＣｏｎｎｅｃｔｉｃｕｔ  Ｅｎｇｉｎｅｅｒｉｎｇ）粉末（＜４４μｍ）と２１８ｇの水素化チタン粉末（＜４４μｍ）の乾燥混合物を混合して作った。乾燥混合物はその後、ステンレス鋼容器内で５１０ｇの一時的な液体結合剤Ｖｉｔｔａ  Ｂｒａｚｅ−Ｇｅｌ（コネチカット州ＢｅｔｈｅｌのＶｉｔｔａ  Ｃｏｒｐｏｒａｔｉｏｎ）と、均質なペーストができるまで混ぜ合わせた。ペーストをカッタ２２のリブ２６に塗布した。次いで、２０／３０ＵＳメッシュ（約８３８μｍ）のダイヤモンド砥粒を、この粘着性のロウ付け材の上に散布した。被覆したカッタを空気乾燥し、その後８８０℃の炉内で３０分間、真空（＜１ｍｍＨｇ）下で焼成した。こうして、ロウ付け金属結合ダイヤモンド研削カッタを製作した。
・キー４８をカッタに取り付けた。
・キーを取り付けたカッタをドラム（コア）２４に配置した。
・航空機グレードの８本のボルトを使用し湾曲ナット５２を使用して、２００ｆｔ・ｌｂのトルクでカッタ２２をドラムに固定して砥石を完成した。
・予定された回転速度１４５０ｒｐｍのそれぞれ１．５倍及び１．７６５倍の２１７５ｒｐｍ及び２５６０ｒｐｍで砥石の回転試験を行った。
・砥石は試験に合格し、研削砥石の寸法に明らかな変化はなかった。
【００３８】
ここでは、特定の典型的態様を参照して本発明を説明している。特許請求の範囲に記載の本発明のより広範な精神と範囲から離れることなく、それに対し様々な改変や変更を行いうることは明らかであろう。従って、明細書と図面は制限的なものでなく例示的なものと考えるべきである。
【図面の簡単な説明】
【００３９】
【図１】本発明の態様の斜視図である。
【図２】図１の態様の構成要素の斜視図である。
【図３】図１の態様の別の構成要素の拡大した斜視図である。
【図４】図１の態様のもう一つの構成要素の更に拡大した斜視図である。
【図５】図１の態様のもう一つの構成要素の図３と同様の図である。
【符号の説明】
【００４０】
２０    ドラム研削砥石
２２    カッタ
２４    ドラム
２６    リブ
２８    砥粒層
３４    外側表面
３６    係合表面
４０、４８    キー溝
４２    ボア
４４    内側表面
４６    ベース
５０    座ぐりボア
５２    ナット
５４    ねじ付きボア
【図１】
2006055993.tif 000004
【図２】
2006055993.tif 000005
【図３】
2006055993.tif 000006
【図４】
2006055993.tif 000007
【図５】
2006055993.tif 000008
【外国語明細書】
2006055993000001.pdf